(57)【要約】【課題】表示部を備える表示パネルが曲げられた状態で使用されつつも、その曲げによる内部応力が緩和される構造の表示装置を実現する。【解決手段】表示部３を有する表示パネル１が支持部２で曲げられて支持された状態において、基板４が曲げられることで基板４内部に生じる曲げモーメントを第１モーメントＭ１として、表示部３の構成要素に膜厚分布もしくは膜応力の分布を持たせることで基板４にさらなる外力を加え、第１モーメントＭ１と逆方向の曲げモーメントである第２モーメントＭ２が基板４に作用する構成とする。これにより、表示パネル１が曲げられた状態であっても、基板４内部の曲げモーメントが相殺され、内部応力が緩和される構造の表示装置となる。【選択図】図４
2020095868.tif 000002
【特許請求の範囲】
【請求項１】
可撓性がある基板（４）と、前記基板の一面（４ａ）上に形成され、映像を表示する表示部（３）と、を有する表示パネル（１）を備え、前記基板が曲げられた曲面形状とされることで、前記表示部が前記曲面形状に追従した形状とされた状態で使用される表示装置であって、
前記表示部は、自発光素子（５）によりなる複数の画素と、前記自発光素子を覆う封止材（６）と、を有してなり、
前記自発光素子は、前記一面上に形成されると共に、一対の第１電極（５１）および第２電極（５４）と、前記第１電極と前記第２電極との間に配置された機能層（５２）と、前記機能層を複数の領域に区画する隔壁（５３）と、を有してなり、
前記基板が前記曲面形状とされることで前記基板に生じる曲げモーメントを第１モーメントとして、
前記第１電極、前記隔壁および前記封止材のうち少なくとも１つは、前記一面に対する法線方向から見て、前記表示部のうち中央部における膜厚と外縁部における膜厚とが異なる膜厚分布とされ、前記第１モーメントの向きと反対の向きの曲げモーメントである第２モーメントが前記基板に生じる構成とされている、表示装置。
【請求項２】
前記隔壁が、前記法線方向から見て、前記中央部における膜厚と前記外縁部における膜厚とが異なる膜厚分布とされている、請求項１に記載の表示装置。
【請求項３】
前記封止材が、前記法線方向から見て、前記中央部における膜厚と前記外縁部における膜厚とが異なる膜厚分布とされている、請求項１に記載の表示装置。
【請求項４】
前記第１電極が、前記法線方向から見て、前記中央部における膜厚と前記外縁部における膜厚とが異なる膜厚分布とされている、請求項１に記載の表示装置。
【請求項５】
可撓性がある基板（４）と、前記基板の一面（４ａ）上に形成され、映像を表示する表示部（３）と、を有する表示パネル（１）を備え、前記基板が曲げられた曲面形状とされることで、前記表示部が前記曲面形状に追従した形状とされた状態で使用される表示装置であって、
前記表示部は、自発光素子（５）によりなる複数の画素と、前記自発光素子を覆う封止材（６）と、を有してなり、
前記自発光素子は、前記一面上に形成されると共に、一対の第１電極（５１）および第２電極（５４）と、前記第１電極と前記第２電極との間に配置された機能層（５２）と、を有してなり、
前記基板が前記曲面形状とされることで前記基板に生じる曲げモーメントを第１モーメントとして、
前記第１電極は、真空成膜法により形成されたものであって、前記一面に対する法線方向から見て、前記表示部のうち中央部における部分と外縁部における部分とが異なる成膜条件により形成されており、前記第１モーメントの向きと反対の向きの曲げモーメントである第２モーメントが前記基板に生じる構成とされている、表示装置。
【請求項６】
可撓性がある基板（４）と、前記基板の一面（４ａ）上に形成され、映像を表示する表示部（３）と、を有する表示パネル（１）を備え、前記基板が曲げられた曲面形状とされることで、前記表示部が前記曲面形状に追従した形状とされた状態で使用される表示装置であって、
前記表示部は、前記一面上に形成された自発光素子（５）と、前記自発光素子を覆う封止材（６）と、を有してなり、
前記封止材は、前記一面に対する法線方向から見て、前記表示部を構成する複数の前記自発光素子を囲む枠体形状とされた第１接着部（６１）と、前記第１接着部に囲まれた部分を充填する第２接着部（６２）と、前記第１接着部および前記第２接着部に貼り付けられた被覆材（６３）と、を有してなり、
前記基板が前記曲面形状とされることで前記基板に生じる曲げモーメントを第１モーメントとして、
前記第１接着部が前記第２接着部を構成する樹脂材料と異なる樹脂材料により構成されることで、前記第１モーメントの向きと反対の向きの曲げモーメントである第２モーメントが前記基板に生じる構成とされている、表示装置。
【請求項７】
前記表示パネルに接して配置された応力緩和部（７）をさらに有し、
前記応力緩和部は、前記基板に当接して、前記基板に外力を加えることにより、前記基板に前記第２モーメントと同じ向きの曲げモーメントである第３モーメントが生じさせる、請求項１ないし６のいずれか１つに記載の表示装置。
【請求項８】
前記表示パネルのうち前記表示部側の面を映像表示面（１ａ）として、前記表示部は、前記映像表示面が凸状に曲げられており、
前記応力緩和部は、前記表示面側に接して配置された光学樹脂層（７１）を有してなり、
前記光学樹脂層は、断面視にて、凸状に曲げられた前記表示面の中心部の上に配置された部分の厚みが、前記表示面の端部の上に配置された部分の厚みよりも薄い、請求項７に記載の表示装置。
【請求項９】
前記表示パネルのうち前記表示部側の面を映像表示面（１ａ）として、前記表示部は、前記映像表示面が凹状に曲げられており、
前記応力緩和部は、前記表示面側に接して配置された光学樹脂層（７１）を有してなり、
前記光学樹脂層は、断面視にて、凹状に曲げられた前記表示面の中心部の上に配置された部分の厚みが、前記表示面の端部の上に配置された部分の厚みよりも厚い、請求項７に記載の表示装置。
【請求項１０】
前記応力緩和部は、筐体部品（７２）とされ、
前記筐体部品は、断面視にて、前記表示パネルのうち前記曲面形状とされた前記表示部を曲げられる前の平面形状に戻す方向の曲げの力を前記表示パネルに作用させる、請求項７に記載の表示装置。
【請求項１１】
前記表示パネルのうち前記表示部側の面を映像表示面（１ａ）として、
前記応力緩和部は、前記映像表示面側に取り付けられるカラーフィルタ（７３）とされ、
前記カラーフィルタは、基材（７４）と、透過する光の波長が異なる複数のカラーレジスト（７５）と、複数の前記カラーレジストを区画するブラックマトリクス（７６）と、前記ブラックマトリクス上に形成される複数のフォトスペーサ（７７）とを有してなり、
複数の前記フォトスペーサは、前記カラーフィルタが前記表示パネルに取り付けられることで前記表示面側に接して前記表示パネルを押圧し、
前記映像表示面に対する法線方向から見て、複数の前記フォトスペーサのうち前記表示部の中心側に配置される前記フォトスペーサの厚みが、前記表示部の端部側に配置される前記フォトスペーサの厚みより薄い、請求項７に記載の表示装置。
【発明の詳細な説明】
【技術分野】
【０００１】
本発明は、自発光素子によりなる画素を複数有してなる表示部を備え、当該表示部が曲げられた状態で使用される表示装置に関する。
【背景技術】
【０００２】
近年、ディスプレイ分野の開発が進んでおり、映像を表示する表示部を有し、当該表示部が曲面形状とされている表示装置が提案されている。この種の表示装置としては、例えば、特許文献１に記載のものが挙げられる。
【０００３】
特許文献１に記載の表示装置は、可撓性を有するプラスチック基板上に接着剤を介して絶縁層、薄膜トランジスタ、保護膜、カラーフィルタ、層間絶縁膜、白色発光素子がこの順に積層された表示部を有しており、表示部が曲面形状とされることができる。そして、白色発光素子は、自発光素子であって、ＯＬＥＤ（Organic Light Emitting Diodeの略）とされている。
【先行技術文献】
【特許文献】
【０００４】
【特許文献１】特開２０１７−２２１４６号公報
【発明の概要】
【発明が解決しようとする課題】
【０００５】
表示部が曲面形状とされた状態においては、プラスチック基板内部に曲げによる応力が発生するため、表示部を曲げた状態でこの表示装置が取り付けられた場合には、曲げによる応力がプラスチック基板内に生じたままの状態で使用され続けることとなる。
【０００６】
しかしながら、表示部を構成するプラスチック基板に応力に生じたままの状態で、この表示装置に外部から振動などの外力がかかると、プラスチック基板の割れやこれに伴うＯＬＥＤの機能不全などの不具合が発生し得る。表示部を曲面形状で使用し、かつ、上記の不具合を抑制して信頼性を向上させるためには、プラスチック基板が曲げられた状態とされつつも、曲げにより生じる応力を緩和する必要がある。
【０００７】
本発明は、上記の点に鑑みてなされたものであり、表示部が曲面形状とされた状態で使用されつつも、曲げによって表示部にかかる応力が緩和される構造の表示装置を提供することを目的とする。
【課題を解決するための手段】
【０００８】
上記目的を達成するため、請求項１に記載の表示装置は、可撓性がある基板（４）と、基板の一面（４ａ）上に形成され、映像を表示する表示部（３）と、を有する表示パネル（１）を備え、基板が曲げられた曲面形状とされることで、表示部が曲面形状に追従した形状とされた状態で使用される。この表示装置は、さらに次のような特徴を備える。
【０００９】
表示部は、自発光素子（５）によりなる複数の画素と、自発光素子を覆う封止材（６）と、を有してなり、自発光素子は、一面上に形成されると共に、一対の第１電極（５１）および第２電極（５４）と、第１電極と第２電極との間に配置された機能層（５２）と、機能層を複数の領域に区画する隔壁（５３）と、を有してなる。そして、基板が曲面形状とされることで基板に生じる曲げモーメントを第１モーメントとして、第１電極、隔壁および封止材のうち少なくとも１つは、一面に対する法線方向から見て、表示部のうち中央部における膜厚と外縁部における膜厚とが異なる膜厚分布とされ、第１モーメントの向きと反対の向きの曲げモーメントである第２モーメントが基板に生じる構成とされている。
【００１０】
これにより、基板が曲面形状とされ、基板上の表示部がこれに追従する形状で使用される状況にて、表示部の構成要素の一部が所定の膜厚分布とされることで、曲面形状とされた該基板に生じる曲げモーメント、すなわち第１モーメントが相殺される構造となる。
【００１１】
具体的には、自発光素子を構成する第１電極もしくは隔壁、または自発光素子を覆う封止材のうち少なくとも１つが、基板の一面に対する法線方向から見て、表示部の中心部における膜厚と外縁部における膜厚が異なる膜厚分布とされている。これにより、第１電極、隔壁および封止材のうち少なくとも１つから基板に作用する応力に差が生じ、この応力により基板に生じる曲げモーメントを第２モーメントとする。第１電極、隔壁および封止材のうち少なくとも１つの膜厚分布は、この第２モーメントが第１モーメントと反対の向きとなるように、調整されている。
【００１２】
その結果、表示部の構成要素または封止材により、基板内に生じる第２モーメントが、基板が曲面形状とされることで、基板内に生じる第１モーメントを相殺する構造となる。つまり、基板が曲げられた状態であっても、基板内の曲げモーメントが小さくなり、曲げ応力が低減されるため、従来よりも、曲げによって表示部にかかる応力が緩和される構造の表示装置となる。
【００１３】
請求項５に記載の表示装置は、可撓性がある基板（４）と、基板の一面（４ａ）上に形成され、映像を表示する表示部（３）と、を有する表示パネル（１）を備え、基板が曲げられた曲面形状とされることで、表示部が曲面形状に追従した形状とされた状態で使用される。この表示装置は、さらに次のような特徴を備える。
【００１４】
表示部は、自発光素子（５）によりなる複数の画素と、自発光素子を覆う封止材（６）と、を有してなり、自発光素子は、一面上に形成されると共に、一対の第１電極（５１）および第２電極（５４）と、第１電極と第２電極との間に配置された機能層（５２）と、を有してなる。そして、基板が曲面形状とされることで基板に生じる曲げモーメントを第１モーメントとして、第１電極は、真空成膜法により形成されたものであって、一面に対する法線方向から見て、表示部のうち中央部と外縁部とが異なる成膜条件により形成されており、第１モーメントの向きと反対の向きの曲げモーメントである第２モーメントが基板に生じる構成とされている。
【００１５】
これにより、第１電極が、表示部の中央部において基板に作用する応力と外縁部において基板に作用する応力とが異なる状態とされ、第１電極による基板への応力による第２モーメントが曲面形状の基板に生じる第１モーメントを相殺する構造の表示装置となる。そのため、請求項１に記載の表示装置と同様の効果が得られる。
【００１６】
請求項６に記載の表示装置は、可撓性がある基板（４）と、基板の一面（４ａ）上に形成され、映像を表示する表示部（３）と、を有する表示パネル（１）を備え、基板が曲げられた曲面形状とされることで、表示部が曲面形状に追従した形状とされた状態で使用される。この表示装置は、さらに次のような特徴を備える。
【００１７】
表示部は、一面上に形成された自発光素子（５）と、自発光素子を覆う封止材（６）と、を有してなり、封止材は、一面に対する法線方向から見て、表示部を囲む枠体形状とされた第１接着部（６１）と、第１接着部に囲まれた部分を充填する第２接着部（６２）と、第１接着部および第２接着部に貼り付けられた被覆材（６３）と、を有してなる。そして、基板が曲面形状とされることで基板に生じる曲げモーメントを第１モーメントとして、第１接着部が第２接着部を構成する樹脂材料と異なる樹脂材料により構成されることで、第１モーメントの向きと反対の向きの曲げモーメントである第２モーメントが基板に生じる構成とされている。
【００１８】
これにより、封止材が、表示部の中央部において基板に作用する応力と外縁部の外側において基板に作用する応力とが異なる状態とされ、封止材による基板への応力による第２モーメントが曲面形状の基板に生じる第１モーメントを相殺する構造の表示装置となる。そのため、請求項１に記載の表示装置と同様の効果が得られる。
【００１９】
なお、各構成要素等に付された括弧付きの参照符号は、その構成要素等と後述する実施形態に記載の具体的な構成要素等との対応関係の一例を示すものである。
【図面の簡単な説明】
【００２０】
【図１】第１実施形態の表示装置を示す図であって、（ａ）は概略断面図であり、（ｂ）は映像表示面側から見たときの概略平面図である。
【図２】図１（ｂ）中の表示部の一部領域を拡大したものを示す概略平面図である。
【図３】図２中に一点鎖線で示すIII-III間の断面構成の一例を示す概略断面図である。
【図４】図１の表示装置にて、曲げられた状態とされた表示パネルに生じる曲げモーメントとこれを相殺する第２モーメントとが生じた様子を示す模式図である。
【図５】表示パネルを構成する基板を単純梁とみなして、等分布荷重を当該基板にかけた状況において、生じる曲げモーメントの分布を算出した結果を示す模式図である。
【図６】表示部の領域別の断面構成を示すものであって、（ａ）は表示部のうち中央領域の概略断面図であり、（ｂ）は表示部のうち外縁領域の概略断面図である。
【図７】第２実施形態の表示装置における表示部のうち端部における断面構成の一例を示す概略断面図である。
【図８】第２実施形態の表示装置の変形例であって、表示部の断面構成の一例を示す概略断面図である。
【図９】第３実施形態の表示装置における表示部のうち端部における断面構成の一例を示す概略断面図である。
【図１０】第４実施形態の表示装置を示す概略断面図である。
【図１１】図１０の表示装置にて、曲げられた状態とされた表示パネルに生じる曲げモーメントとこれを相殺する第２、第３モーメントとが生じた様子を示す模式図である。
【図１２】第４実施形態の表示装置の変形例を示す図であって、（ａ）は概略断面図であり、（ｂ）は映像表示面側から見た概略平面図である。
【図１３】第４実施形態の表示装置の他の変形例にかかる図であって、（ａ）は表示装置の概略断面図であり、（ｂ）は応力緩和部の概略断面図である。
【発明を実施するための形態】
【００２１】
以下、本発明の実施形態について図に基づいて説明する。なお、以下の各実施形態相互において、互いに同一もしくは均等である部分には、同一符号を付して説明を行う。
【００２２】
（第１実施形態）
第１実施形態の表示装置について、図１〜図３を参照して述べる。本実施形態の表示装置は、例えば、自動車などの車両のインストルメントパネルなどに取り付けられる車載用途の曲面表示装置として適用され得るが、他の用途の曲面表示装置としても適用されることもできる。
【００２３】
図１（ａ）、図１（ｂ）では、構成を分かり易くするため、各構成要素の大きさや厚みなどを誇張してデフォルメしたものを示している。また、図１（ａ）では、図１（ｂ）に一点鎖線で示すIA-IA間の断面構成を示している。図２、図３では、各構成要素の配置や構成を分かり易くするため、後述する表示部３が曲げられていない平面での状態において平面視または断面視をした様子を示している。
【００２４】
本実施形態の表示装置は、図１（ａ）もしくは図１（ｂ）に示すように、表示部３を備える表示パネル１と、表示パネル１を曲げた状態で支持する支持部２とを備える。本実施形態の表示装置は、表示パネル１のうち表示部３側の面を映像表示面１ａとして、表示パネル１が、映像表示面１ａの反対側の面において支持部２に支持されることで、映像表示面１ａが支持部２の反対側に突き出るように湾曲した状態とされている。
【００２５】
以下、説明の簡略化のため、上記の湾曲した状態を「凸状」と称し、映像表示面１ａが支持部２側に突き出るように湾曲した状態を「凹状」と称する。
【００２６】
表示パネル１は、例えば図３に示すように、可撓性のある基板４と、その上に形成された自発光素子５を有してなる複数の画素により構成される表示部３とを有してなる。表示パネル１は、外力が加わると、可撓性のある基板４が曲げられた状態となることで、表示部３が曲面形状の状態で使用されることができる構成とされている。表示パネル１は、自発光素子５を駆動させるための図示しない薄膜トランジスタや駆動配線を備え、図示しない外部の駆動用電源や映像入力部と接続されている。
【００２７】
支持部２は、図１（ａ）に示すように、表示パネル１を曲げた状態で支持する部材であり、例えば、樹脂材料などの任意の材料で構成される。なお、支持部２は、図１（ａ）に示すように、任意の曲率とされた曲面で表示パネル１を曲げた状態で支持してもよいし、筐体などの他の形状とされてもよく、その形状については適宜変更されてもよい。
【００２８】
表示部３は、図２に示すように、画素を構成する自発光素子５が複数配列されてなり、自発光素子５を発光させることで、各種の映像を表示するものである。表示部３は、図３に示すように、基板４の一面４ａ上に形成された複数の自発光素子５と、自発光素子５を覆う封止材６とを有してなる。表示部３は、本実施形態では、図１に示すように、映像表示面１ａが凸状に湾曲するように曲げられた状態、すなわち基板４の曲面形状に追従した状態で使用される。表示部３は、本実施形態では、自発光素子５のうち後述する隔壁５３に所定の膜厚分布を持たせ、基板４が曲げられることで基板４内部に生じる曲げモーメントを相殺する曲げモーメント（以下「相殺モーメント」という）が、基板４内部に生じる構造とされる。この詳細については、後述する。
【００２９】
なお、表示部３は、凸状の湾曲状態に限られず、凹状に湾曲した状態で使用されてもよいし、他の湾曲形状で使用されてもよいが、最終的な湾曲状態に合わせて、自発光素子５のうち隔壁５３の膜厚分布が適宜変更される。本実施形態では、映像表示面１ａが凸状のまま使用される場合について説明する。
【００３０】
また、表示パネル１は、自発光素子５がＯＬＥＤにより構成される場合には、「有機ＥＬ（Electro Luminescenceの略）パネル」と称され得る。また、有機ＥＬパネルやＯＬＥＤの基本構成については、公知であるため、本明細書では、公知部分についての詳細な説明を省略し、本願の特徴的な部分について主に説明する。
【００３１】
基板４は、例えば、ポリエチレンテレフタレート（ＰＥＴ）やポリイミド（ＰＩ）などの任意の樹脂材料やガラスなどの任意の無機材料などにより構成された、可撓性のある基板である。基板４は、可撓性があればよく、上記した材料に限定されるものではない。基板４の一面４ａ上には、図３に示すように、自発光素子５が形成されている。
【００３２】
自発光素子５は、例えば、ＯＬＥＤとされ、図示しない薄膜トランジスタなどと共に、画素を構成している。自発光素子５は、本実施形態では、ＯＬＥＤとされており、例えば、図３に示すように、第１電極５１と、機能層５２と、隔壁５３と、第２電極５４と、を備えると共に、これらが封止材６に覆われた構成とされている。なお、自発光素子５は、トップエミッション型、ボトムエミッション型、両面発光型のいずれの素子構成とされてもよい。
【００３３】
第１電極５１は、第２電極５４と対となる電極であって、陽極または陰極とされ、ＯＬＥＤをトップエミッション型とするかボトムエミッション型とするかにより適宜選択される。第１電極５１は、例えば、酸化インジウム錫（ＩＴＯ）などの透明導電材料やアルミニウム（Ａｌ）などの公知の電極材料またはその他の公知の合金材料により構成され、スパッタリングなどの真空成膜法などにより形成される。
【００３４】
機能層５２は、例えば、陽極側から陰極側に向かって、正孔注入層、正孔輸送層、発光層、電子輸送層、電子注入層が積層された構成とされ、電極５１、５４間に電圧を印加することで発光する構成とされる。機能層５２は、上記した構成に限られず、他のＯＬＥＤの公知の構成とされてもよい。また、正孔注入層、正孔輸送層、発光層、電子輸送層および電子注入層については、それぞれ公知の材料により構成されると共に、湿式成膜もしくは真空成膜などの任意の方法により形成される。
【００３５】
隔壁５３は、例えば、図２に示すように平面視にて格子状とされ、図３に示すように、機能層５２を区画する壁であり、「バンク」と称され得る。隔壁５３は、例えば、感光性の絶縁性材料により構成され、湿式成膜法およびフォトリソグラフィエッチング法により形成される。一面４ａに対する法線方向（以下「一面法線方向」という）から見て、隔壁５３により囲まれた第１電極５１、機能層５２および第２電極５４が１つの画素を構成しており、この画素が複数並べて配置されることで表示部３をなしている。隔壁５３は、本実施形態では、基板４の曲げモーメントを緩和する相殺モーメントを生じさせるために、一面法線方向における厚み（以下「膜厚」という）が所定の分布とされている。この詳細については、後述する。
【００３６】
第２電極５４は、図３に示すように、機能層５２を挟んで第１電極５１の反対側に配置される電極であり、第１電極５１が陽極とされる場合には陰極とされ、第１電極５１が陰極とされる場合には陽極とされる。第２電極５４は、例えば、第１電極５１と同様に、公知の電極材料により構成され、任意の真空成膜法などにより形成される。
【００３７】
封止材６は、外気の水分や酸素などから画素を保護するための保護層であり、例えば、ＳｉＮ（窒化シリコン）、ＳｉＯＮ（酸窒化シリコン）、Ａｌ２Ｏ３（アルミナ）などの水分や酸素の透過率が低い任意の材料により構成される。封止材６は、例えば、ＣＶＤ（Chemical Vapor Depositionの略）やＡＬＤ（Atomic Layer Depositionの略）、スパッタリングなどの任意の真空成膜法などにより形成される。本実施形態では、封止材６は、水分や酸素などの透過率の低い材料が隔壁５３や第２電極５４などの上に積層された構成とされているが、これに限られるものではない。また、封止材６は、任意の湿式成膜により形成されてもよい。
【００３８】
以上が、本実施形態の表示装置の基本的な構成である。
【００３９】
次に、基板４の曲げモーメントおよびこれを緩和する相殺モーメントを生じさせるための隔壁５３の厚み設計について、図４〜図６を参照して説明する。
【００４０】
まず、図４を参照して、基板４の内部に生じる曲げ応力の緩和の概要について説明する。
【００４１】
図４では、便宜的に、基板４が曲げられることで生じる曲げモーメントを第１モーメントＭ１として、第１モーメントＭ１を黒塗りの矢印で示している。また、図４では、表示部３により基板４に生じる曲げモーメント（相殺モーメント）、すなわち第２モーメントＭ２を白抜き矢印で示すと共に、基板４の部位ごとに生じるモーメントの大きさを便宜的に矢印の大小で示している。なお、図４では、第１モーメントＭ１と第２モーメントＭ２との関係を分かり易くするために、デフォルメしたイメージを示しているに過ぎず、矢印の部分でのみ曲げモーメントが生じることを意味するものではない。
【００４２】
具体的には、図４に示すように、基板４が曲げられた状態とされることで、基板４の内部には第１モーメントＭ１が生じるが、表示部３は、第１モーメントＭ１と逆向きの第２モーメントＭ２を基板４に生じさせる構成とされている。これにより、第１モーメントＭ１と第２モーメントＭ２とが相殺され、基板４の内部に生じる内力が小さくなるため、基板４の曲げ応力が低減することとなる。
【００４３】
つまり、表示部３は、基板４が曲面形状とされた状態において、基板４の曲げ応力を緩和する役割を果たす。このような作用を生じる表示部３の構成とするためには、使用される際の基板４の曲面形状で生じる第１モーメントＭ１の分布を算出する必要がある。
【００４４】
ここで、基板４を曲げた状態とした際に基板４に生じる第１モーメントＭ１の分布の算出について、図５を参照して簡単に説明する。
【００４５】
図５では、基板４を単純梁とみなし、図示しない支持部２による曲げの力を等分布荷重Ｆ（Ｎ／ｍ）とみなし、等分布荷重Ｆにより基板４に生じる第１モーメントＭ１の分布を示している。また、図５では、基板４の一端をＡ点とし、その反対の他端をＢ点とし、Ａ点とＢ点との中間の位置をＯ点とし、Ａ点から所定の距離ｘ（ｍ）だけ離れた任意の箇所をＣ点とし、Ａ点とＢ点とを繋げる方向の間の長さをＬ１（ｍ）としている。そして、図５では、紙面下方向を正とし、Ｃ点における曲げモーメント、すなわち第１モーメントＭ１（Ｎ・ｍ）を算出して得られた後述する二次曲線の数式による曲線を便宜的に破線で示している。
【００４６】
Ａ点およびＢ点で生じる荷重Ｆに対する反力は、力のつり合いより、Ｆ×Ｌ１／２となる。Ｃ点で生じる第１モーメントＭ１は、Ａ点の反力による曲げモーメントと、荷重Ｆを集中荷重に換算し、当該集中荷重の作用による曲げモーメントの和として算出されるため、以下の（１）式で表される。
【００４７】
Ｍ１＝−Ｆ・ｘ×ｘ／２＋Ｆ×Ｌ１／２×ｘ
＝−Ｆ・ｘ２／２＋Ｆ・Ｌ１・ｘ／２    ・・・（１）
なお、上記（１）式によれば、Ｍ１＝−Ｆ／２｛（ｘ−Ｌ１／２）２−Ｌ１２／４｝とも表されるため、ｘ＝Ｌ１／２のとき、すなわちＯ点における第１モーメントＭ１が最大となり、Ａ点およびＢ点における第１モーメントＭ１が最小となる。
【００４８】
このように、基板４を曲げることにより生じる第１モーメントＭ１の分布は、図５中に破線で示すように、ｘの二次曲線として表される。上記のような計算により得られた第１モーメントＭ１の分布に基づいて、第１モーメントＭ１とは逆向きの第２モーメントＭ２を生じるような外力が基板４に作用するように、表示部３のうち隔壁５３の膜厚分布を適宜決定する。
【００４９】
なお、基板４が所定の曲率半径Ｒで曲げられた状態における基板４のひずみ量εと、基板４を構成する材料のヤング率Ｅとに基づいて、基板４の曲げ応力σをフックの法則（σ＝εＥ）により算出し、曲げ応力σの分布を算出することもできる。ひずみ量εについては、基板４の平面サイズに基づき、ＦＥＭ（Finite Element Methodの略）解析などの手法により、算出することができる。
【００５０】
続いて、隔壁５３の膜厚分布の例について、図６（ａ）および図６（ｂ）を参照して説明する。
【００５１】
図６（ａ）、（ｂ）では、見易くするために、表示部３のうち基板４、第１電極５１、機能層５２、隔壁５３以外の構成要素を省略している。以下の説明において、表示部３の「中央領域」とは、一面法線方向から見て、表示部３の外郭で囲まれた領域の中央部を含む所定の領域を意味する。また、表示部３の「外縁領域」とは、一面法線方向から見て、表示部３のうちその中央領域よりも外側の領域であって、表示部３の外郭を含む所定の領域を意味する。
【００５２】
隔壁５３は、本実施形態では、表示部３を一面法線方向から見て、表示部３の中央領域に位置する部分の膜厚と表示部３の外縁領域に位置する部分の膜厚とが異なる、膜厚分布とされている。具体的には、隔壁５３は、例えば、図６（ａ）および図６（ｂ）に示すように、表示部３の中央領域における膜厚が、表示部３の外縁領域における膜厚よりも薄い構成とされている。例えば、隔壁５３の膜厚は、限定するものではないが、中心領域では１μｍ程度とされ、外縁領域では４μｍ程度とされる。
【００５３】
隔壁５３は、例えば、基板４が所定の曲率半径Ｒで曲げられた状態（すなわち使用時の湾曲状態）を想定し、この状態における表示部３のうち中央領域の面積と外縁領域の面積との比に応じて、その膜厚が決定される。例えば、中央領域の面積を１として、外縁領域の面積が２．５である場合には、隔壁５３は、中央領域における膜厚と外縁領域における膜厚比が１：２．５とされる。
【００５４】
なお、表示部３の中央領域および外縁領域については、基板４の使用時における湾曲状態にてその内部に生じる曲げモーメントもしくは曲げ応力の分布に応じて、適宜設定される。そして、これらの領域の面積比に対応して、隔壁５３の膜厚分布を設計すればよい。
【００５５】
また、上記した隔壁５３の膜厚比の決定は、表示パネル１が、凸状に曲げられた状態、すなわち映像表示面１ａが凸面となるように曲げられた状態（以下「凸曲げ状態」という）で使用される例である。表示パネル１が凸曲げ状態とは逆に曲げられた状態、すなわち映像表示面１ａが凹面となるように曲げられた状態では、隔壁５３は、上記の面積比の場合、中央領域における膜厚と外縁領域における膜厚比が２．５：１とされる。なお、表示パネル１は、勿論、この曲げ形状での使用に限定されるものではない。
【００５６】
上記したように、隔壁５３は、使用状態における基板４の曲率半径Ｒに対応した膜厚分布とされることで、隔壁５３により基板４に作用する力に分布が生じる構成とされている。
【００５７】
具体的には、基板４には、任意の成膜方法により形成された隔壁５３内部の収縮応力などに基づく外力が加わることで第２モーメントＭ２が生じる。この隔壁５３の膜厚が大きくなると、隔壁５３内部の収縮応力も大きくなり、隔壁５３により基板４に作用する外力も大きくなる。つまり、基板４のうち隔壁５３の膜厚が大きい領域ほど、当該領域に生じる第２モーメントＭ２が大きくなる。したがって、隔壁５３に基板４の第１モーメントＭ１の分布に対応した膜厚分布をもたせることで、第１モーメントＭ１を相殺する分布とされた第２モーメントＭ２を基板４に生じさせることができる。その結果、基板４が曲げられたままの状態であっても、基板４内部の内力が小さくなり、基板４の内部応力が緩和される。
【００５８】
なお、ここでいう「内部応力の緩和」とは、略平板形状である表示パネル１（基板４）を曲げて曲面形状としたときに基板４に生じる曲げ応力を、当該曲面形状を保った状態であっても、他の外力が基板４に加わることで従来よりも小さくなることを意味する。究極的には、基板４が曲面形状とされた状態での曲げ応力を、基板４が略平板形状とされた状態における曲げ応力と同じにすることが好ましいが、これに限定されるものではない。また、内部応力の緩和には、曲面形状とされた基板４の曲げ応力を全体的に低減することだけでなく、局所的に曲げられた場合において、当該曲げられた部分の曲げ応力を低減することも含む。また、隔壁５３により生じる第２モーメントＭ２は、例えば、シミュレーションなどにより算出されることができる。
【００５９】
上記のように所定の膜厚分布とされた隔壁５３は、例えば、フォトリソグラフィエッチング法にて、露光処理に用いる紫外線の透過率に分布のあるフォトマスクを用いて、場所ごとに紫外線の照射強度を調整することで形成されることができる。また、隔壁５３は、上記の方法だけに限られず、紫外線を透過させるパターンの異なる複数のフォトマスクを用いて、複数回の露光処理をすることによっても形成されることができる。なお、隔壁５３は、表示部３の中心領域から外縁領域に向かうにつれて連続的にその膜厚が変更されてもよいし、断続的に変更されてもよく、基板４の曲面形状に合わせて適宜変更される。
【００６０】
本実施形態によれば、表示部３が曲面形状で使用されつつも、その曲面形状とされることで基板４の内部に生じる第１モーメントＭ１と、その反対向きの第２モーメントＭ２とが生じ、曲げモーメントが低減される構造の表示装置となる。言い換えると、本実施形態の表示装置は、表示パネル１が平面形状とされている状態では、所定の曲率での曲面形状を想定した第２モーメントＭ２が作用する状態とされ、曲面形状とすることで、第１モーメントＭ１が低減される構造である。そのため、表示部３が曲面形状とされた状態で使用されつつも、基板４の内部応力が従来よりも低減され、信頼性の高い表示装置となる。
【００６１】
特に、車載用途では、車両の振動などの外力が当該表示装置に作用する状況が想定されるが、見かけ上は、曲面形状とされつつもその内部応力が緩和されているため、振動が伝搬されても基板４の割れなどの不具合が抑制される効果が期待される。また、曲げられた状態の基板４の内部応力が緩和されることで、表示部３にかかる応力も緩和され、表示部３の構成要素が基板４から剥離することを抑制する効果も期待される。
【００６２】
（第２実施形態）
第２実施形態の表示装置について、図７を参照して述べる。
【００６３】
本実施形態の表示装置は、表示部３のうち隔壁５３の代わりに封止材６が、中央領域における膜厚と外縁領域における膜厚とが異なる膜厚分布とされた構成である点において上記第１実施形態と相違する。本実施形態では、この相違点について主に説明する。
【００６４】
封止材６は、本実施形態では、表示部３のうち中央領域においては、図３に示す状態とされ、表示部６のうち外縁領域においては図７に示す状態とされている。つまり、封止材６は、中央領域における膜厚が外縁領域における膜厚よりも薄い膜厚分布とされることで、基板４に第２モーメントＭ２を生じさせ、基板４の第１モーメントＭ１を相殺して曲げ応力を緩和する役割を果たす。このような構成とされた場合であっても、図４に示した例と同様の第２モーメントＭ２を生じさせ、曲げられた状態の基板４の内部応力を緩和することができる。
【００６５】
膜厚分布を調整された封止材６は、例えば、ＣＶＤやＡＬＤ、スパッタリングなどの任意の成膜方法において、マスクを用いて膜厚差を生じさせることで形成されることができる。なお、封止材６は、表示部３の中心領域から外縁領域に向かうにつれて連続的にその膜厚が変更されてもよいし、断続的に変更されてもよく、基板４の曲面形状に合わせて適宜変更される。
【００６６】
本実施形態によれば、上記第１実施形態と同様の効果が得られる。
【００６７】
（第２実施形態の変形例）
第２実施形態の表示装置の変形例について、図８を参照して説明する。図８では、封止材６の構成を分かり易くするため、表示部３を構成する複数の自発光素子５を１つにまとめた形で示している。
【００６８】
本変形例では、封止材６の構成が上記第２実施形態と相違しており、この相違点について主に説明する。
【００６９】
封止材６は、本変形例では、図８に示すように、表示部３を構成する複数の自発光素子５の外側に配置された第１接着部６１と、第１接着部６１の内側に配置された第２接着部６２と、これらの上に配置された被覆材６３とを有してなる。
【００７０】
第１接着部６１は、一面法線方向から見て、表示部３を構成する複数の自発光素子５を囲む枠体状の部材であり、接着性のある任意の樹脂材料により構成され、「ダム剤」と称され得る。第１接着部６１は、その内部の収縮応力などにより基板４に外力を加え、第２接着部６２と共に第２モーメントＭ２を生じさせる部材である。
【００７１】
第２接着部６２は、一面法線方向から見て、第１接着部６１の内側に配置され、第１接着部６１で囲まれた領域を充填する部材である。第２接着部６２は、接着性のある任意の樹脂材料により構成され、「フィル剤」と称され得る。第２接着部６２は、第１接着部６１と同様に、その内部の収縮応力などにより基板４に外力を加え、第２モーメントＭ２を生じさせる役割を果たす。
【００７２】
第１接着部６１および第２接着部６２は、それぞれの内部の収縮応力に差を生じさせることで第２モーメントＭ２に分布を生じさせるため、例えば弾性率などの物理的性質や組成などが異なる樹脂材料により構成される。このような構成とされた場合であっても、図４に示した例と同様の第２モーメントＭ２を生じさせ、曲げられた状態の基板４の内部応力を緩和することができる。第１接着部６１および第２接着部６２は、例えば、ディスペンサー塗布などの任意の塗布法により塗布される。
【００７３】
被覆材６３は、図８に示すように、第１接着部６１および第２接着部６２上に配置され、表示部３を構成する複数の自発光素子５を覆う部材である。被覆材６３は、水分や酸素の透過率が低く、かつ基材４が曲げられた際にその曲げに追従できる可撓性のある部材とされ、「バリアフィルム」と称され得る。被覆材６３は、公知のバリアフィルムなどが採用されることができ、任意の構成とされる。
【００７４】
本変形例の表示装置は、第１接着部６１により基板４に作用する力と、第２接着部６２により基板４に作用する力とが異なる構成とされることで、第２モーメントＭ２に分布が生じる構造であり、上記第２実施形態の表示装置と同様の効果が得られる。
【００７５】
（第３実施形態）
第３実施形態の表示装置について、図９を参照して述べる。
【００７６】
本実施形態の表示装置は、表示部３のうち隔壁５３の代わりに第１電極５１が、中央領域における膜厚と外縁領域における膜厚とが異なる膜厚分布とされた構成である点が上記第１実施形態と相違する。本実施形態では、この相違点について主に説明する。
【００７７】
第１電極５１は、本実施形態では、表示部３のうち中央領域においては、図３に示す状態とされ、表示部６のうち外縁領域においては図９に示す状態とされている。つまり、第１電極５１は、中央領域における膜厚が外縁領域における膜厚よりも薄い膜厚分布とされることで、基板４に第２モーメントＭ２を生じさせ、基板４の第１モーメントＭ１を相殺して曲げ応力を緩和する役割を果たす。このような構成とされた場合であっても、図４に示した例と同様の第２モーメントＭ２を生じさせ、曲げられた状態の基板４の内部応力を緩和することができる。
【００７８】
膜厚分布を調整された第１電極５１は、例えば、スパッタリングなどの任意の成膜方法において、マスクを用いて膜厚差を生じさせることで形成されることができる。なお、第１電極５１は、表示部３の中心領域から外縁領域に向かうにつれて連続的にその膜厚が変更されてもよいし、断続的に変更されてもよく、基板４の曲面形状に合わせて適宜変更される。
【００７９】
本実施形態によれば、上記第１実施形態と同様の効果が得られる。
【００８０】
（第３実施形態の変形例）
次に、第３実施形態の表示装置の変形例について説明する。本変形例では、表示部３の構成要素がすべての領域において一様の膜厚とされ、かつ第１電極５１が表示部３の中央領域と外縁領域とでその内部応力が異なる状態とされている点において上記第３実施形態と相違する。本変形例では、この相違点について主に説明する。
【００８１】
第１電極５１は、本変形例では、例えばマグネトロンスパッタ法により形成されると共に、表示部３の中央領域と外縁領域とではそれぞれ異なる成膜条件により形成されている。これは、第１電極５１のうち表示部３の中央領域における内部応力と外縁領域における内部応力とに差を生じさせることで、第１モーメントＭ１に対応する分布を持つ第２モーメントＭ２を基板４に生じさせる構成とするためである。
【００８２】
具体的には、例えば、国際公開第２０１４／０２０７８８号に記載の方法のように、マグネトロンスパッタ法においてマスクを用いて、単位ターゲット面積あたりの成膜電力である成膜電力密度に分布を持たせる。より具体的には、表示部３のうち中央領域での成膜電力密度よりも外縁領域における成膜電力密度が高くなるように調整する。これにより、第１電極５１のうち成膜電力密度が相対的に低い中央領域における膜応力が、成膜電力密度が相対的に高い外縁領域での膜応力より小さくなる。その結果、第１電極５１のうち膜応力が小さい部分と膜応力が大きい部分とで基板４に生じる外力に分布が生じ、第２モーメント２にも分布が生じることとなる。
【００８３】
つまり、第１電極５１の膜応力に第１モーメントＭ１に対応する分布を持たせることで、図４に示した例と同様に、基板４が曲げられた状態であっても第２モーメントＭ２により第１モーメントＭ１が相殺され、基板４の曲げ応力が緩和される構造となる。
【００８４】
本変形例によっても、上記第３実施形態と同様の効果が得られる。
【００８５】
（第４実施形態）
第４実施形態の表示装置について、図１０、図１１を参照して述べる。図１０では、上記第１実施形態における図１（ａ）に相当する断面構成を示している。図１１では、後述する第３モーメントＭ３と第２モーメントＭ２とを区別するため、便宜的に、第２モーメントＭ２を破線の白抜き矢印で示し、第３モーメントＭ３を実線の白抜き矢印で示している。また、図１１では、図４と同様に、第１モーメントＭ１を黒塗り矢印で示すと共に、基板４の部位ごとに生じるモーメントの大きさを便宜的に矢印の大小で示しているが、矢印を示した部位にのみ曲げモーメントが生じることを意味するものではない。
【００８６】
本実施形態の表示装置は、さらに応力緩和部７を備え、応力緩和部７により基板４の曲げモーメントＭ１を相殺する第３モーメントＭ３が生じる構成とされている点において、上記第１実施形態と相違する。本実施形態では、この相違点について主に説明する。
【００８７】
応力緩和部７は、図１０に示すように、表示パネル１に接して配置され、表示部３が曲面形状とされた状態において基板４に生じる内部応力を緩和するために用いられる部材である。
【００８８】
具体的には、図１１に示すように、表示パネル１が支持部２により曲げられた状態とされることで、基板４の内部には第１モーメントＭ１が生じる。応力緩和部７は、図１１に示すように、第１モーメントＭ１と逆向きの第３モーメントＭ３を基板４に生じさせる。これにより、第１モーメントＭ１と、第２モーメントＭ２および第３モーメントＭ３とが相殺され、基板４の内部に生じる内力が小さくなるため、基板４の曲げ応力が低減することとなる。つまり、応力緩和部７は、支持部２により曲げられた表示パネル１において、支持部２による表示部３を曲げる力と逆向きの曲げる力を表示部３に生じさせることで、表示部３に作用する曲げ応力を緩和する部材である。
【００８９】
応力緩和部７は、本実施形態では、例えば、アクリル系樹脂材料などの任意の光学樹脂によりなる光学樹脂層７１を有した構成とされており、図１１に示すように、映像表示面１ａ側に接して配置される。光学樹脂層７１は、表示部３の構成要素の膜厚分布と同様に、曲げ応力の緩和の観点から、例えば図１１に示すように、断面視にて、映像表示面１ａのうち凸部（この例では中心部）付近における厚みが、映像表示面１ａの端部側における厚みよりも薄くされている。
【００９０】
なお、光学樹脂層７１は、ＯＣＡ（Optical Clear Adhesiveの略）やＯＣＲ（Optical Clear Resinの略）とされ、映像表示面１ａと反対側の面にクリアパネルなどの図示しない透明パネルが貼り付けられていてもよい。また、光学樹脂層７１は、上記した厚み分布に限られず、表示パネル１の曲げられた形状に合わせて、その厚み分布が適宜変更されてもよい。
【００９１】
本実施形態によれば、表示部３が曲げられた状態で使用されつつ、表示部３による第２モーメントＭ２に加えて、応力緩和部７による第３モーメントＭ３をさらに生じさせ、基板４の第１モーメントＭ１を相殺する構造の表示装置となる。そのため、上記第１実施形態に加えて、さらに基板４の曲げ応力が緩和された表示装置となる。
【００９２】
（第４実施形態の第１変形例）
第４実施形態の表示装置の第１変形例について、図１２（ａ）、（ｂ）を参照して述べる。図１２（ａ）では、別断面に存在する後述の開口部７２２ａの外郭を破線で示している。図１２（ｂ）では、後述する筐体部品７２で隠されて正面視では見えない、表示パネル１の外郭を破線で示している。
【００９３】
本変形例の表示装置は、図１２（ａ）に示すように、応力緩和部７が筐体部品７２により構成されている点で上記第４実施形態と相違する。本変形例では、この相違点について主に説明する。
【００９４】
筐体部品７２は、表示パネル１に取り付けられ、表示パネル１を曲げられた状態で保持しつつも、表示パネル１に第３モーメントＭ３が作用する外力を印加する部材であり、例えば、底部７２１と蓋部７２２とが組み付けられてなる。筐体部品７２は、例えば、図１２（ａ）に示すように、表示パネル１がその映像表示面１ａが凸状に湾曲するように曲げられた状態において、映像表示面１ａに当接することで、表示パネル１に支持部２によりかかる曲げの力と逆方向の力をかける。筐体部品７２は、例えば、図１２（ｂ）に示すように、蓋部７２２に開口部７２２ａが形成され、表示パネル１が収容されても表示部３が露出する構成とされる。
【００９５】
なお、筐体部品７２は、例えば樹脂材料などの任意の材料により構成され、光を透過する透明な材料で構成される場合には、開口部７２２ａが形成されなくてもよい。また、筐体部品７２は、例えば支持部２に相当する凸部が形成されることなどにより、支持部２を兼ねる部材とされてもよい。この場合には、支持部２が不要となる。さらに、筐体部品７２は、底部７２１と蓋部７２２とにより構成される例について説明したが、これに限定されるものではなく、これらが一体とされた１つの部材とされてもよいし、３つ以上の部品により構成されてもよい。
【００９６】
筐体部品７２は、図１１に示した例と同様に、基板４に支持部２による第１モーメントＭ１と逆向きの第３モーメントＭ３が生じるように、映像表示面１ａを押圧する構成とされている。例えば、蓋部７２２のうち断面視にて表示パネル１の凸部分（中心部側）の上に配置される部分の厚みが、表示パネル１の端部側の上に配置される部分の厚みよりも薄くされ、表示パネル１の端部側が凸部分よりも強く押圧されるように構成される。
【００９７】
なお、筐体部品７２は、第３モーメントＭ３が生じる力を表示パネル１に作用させる構成とされていればよく、図７に示すように、表示パネル１の曲げに沿って全体的に当接せず、部分的に表示パネル１に当接する構成とされてもよい。筐体部品７２は、例えば、蓋部７２２のうち表示パネル１側の面に柱状部を所定の間隔で複数設け、これらの柱状部が表示パネル１と当接する構成とされてもよい。この場合には、柱状部の高さを場所ごとに変更することで押圧する力を変えることができる。このように、筐体部品７２の形状や構造などは、適宜変更されてもよい。
【００９８】
本変形例の表示装置は、例えば、表示パネル１、支持部２、筐体部品７２を用意し、表示パネル１を支持部２により曲げた状態とした後に、筐体部品７２に収容することで製造されることができる。支持部２を兼ねる筐体部品７２とした場合には、表示パネル１と筐体部品７２を用意した後、筐体部品７２に収容すればよい。
【００９９】
本変形例によっても、上記第４実施形態と同様の効果が得られる表示装置となる。
【０１００】
（第４実施形態の第２変形例）
第４実施形態の表示装置の第２変形例について、図１３（ａ）、（ｂ）を参照して述べる。図１３（ｂ）では、後述する応力緩和部７としてのカラーフィルタ７３が表示パネル１と当接する部分の一部を拡大したものを示しているが、見易くするために、カラーフィルタ７３の一部の構成要素を省略している。
【０１０１】
本変形例の表示装置は、図１３（ａ）に示すように、応力緩和部７がカラーフィルタ７３とされている点で上記第４実施形態と相違する。本実施形態では、この相違点について主に説明する。
【０１０２】
なお、カラーフィルタ７３は、後述するフォトスペーサ７７の厚みに分布を持たせている点以外については、公知のカラーフィルタと同様の構成とされるため、本明細書では簡単に説明する。
【０１０３】
カラーフィルタ７３は、図１３（ａ）に示すように、表示パネル１の映像表示面１ａに取り付けられている。カラーフィルタ７３は、例えば、図１３（ｂ）に示すように、基材７４と、基材７４の表面上に形成される、ブラックマトリクス７５、カラーレジスト７６、フォトスペーサ７７および透明導電膜７８とを有してなる。基材７４は、例えば樹脂材料によりなり、可撓性のある透明な部材である。ブラックマトリクス７５は、光を透過しない任意の材料により構成され、カラーレジスト７６を区画し、光の混色を防ぐためのものである。カラーレジスト７６は、複数の種類が配置されており、例えば赤、緑、青などの波長の異なる光を透過する部材である。フォトスペーサ７７は、カラーレジスト７６と表示部３とのギャップを調整するための柱状部材であり、例えば感光性の樹脂材料により構成される。透明導電膜６８は、カラーレジスト７６を覆う膜であり、例えばＩＴＯ（酸化インジウム錫）などにより構成される。カラーフィルタ７３は、公知の方法により製造される。
【０１０４】
なお、カラーフィルタ７３を応力緩和部７として採用する場合には、自発光素子５は、白色発光素子とされる。
【０１０５】
本変形例では、フォトスペーサ７７の厚みが表示パネル１との当接場所に応じて変更されている。例えば、図１３（ａ）に示すように、映像表示面１ａが凸状に湾曲するように表示パネル１が曲げられている場合について説明する。この場合、図１３（ａ）に示すように、表示パネル１の端部側に当接するフォトスペーサ７７の厚みをＬ２とし、表示パネル１の凸部分に当接するフォトスペーサ７７の厚みをＬ３とすると、Ｌ２＞Ｌ３とされている。つまり、フォトスペーサ７７は、表示パネル１との当接部分に応じた厚みの分布をもった構成とされている。
【０１０６】
このような構成とされたカラーフィルタ７３を表示パネル１に取り付けることで、表示パネル１を押圧する力の分布を適宜調整することができる。このような場合であっても、上記第４実施形態と同様に、支持部２による第１モーメントＭ１と逆向きの第３モーメントＭ３を生じさせることができる。そのため、カラーフィルタ７３を表示パネル１に取り付けることにより、表示パネル１を曲げた曲面形状としつつも、その内部に生じる曲げモーメント、ひいては曲げ応力を緩和することができる。
【０１０７】
本変形例によっても、上記第４実施形態と同様の効果が得られる表示装置となる。
【０１０８】
（他の実施形態）
なお、上記した各実施形態に示した表示装置は、本発明の表示装置の一例を示したものであり、上記の各実施形態に限定されるものではなく、特許請求の範囲に記載した範囲内において適宜変更が可能である。
【０１０９】
（１）上記各実施形態では、表示パネル１が凸状に曲げられた状態で使用される例について説明したが、表示パネル１が凹状に曲げられた状態や他の曲面形状となるように曲げられた状態で使用されてもよいことは言うまでもない。この場合、表示パネル１の使用時における基板４の曲げられた状態に合わせて、表示部３や応力緩和部７の膜厚分布や成膜条件などを適宜変更すればよい。
【０１１０】
例えば、表示パネル１が凹状に曲げられた状態で使用される場合、第１電極５１、隔壁５３、封止材６のうちの少なくとも１つは、表示部３の中央領域における膜厚が外縁領域における膜厚よりも厚い膜厚分布とされていればよい。より具体的には、この膜厚分布は、表示パネル１が使用される際の基板４の曲げによる第１モーメントＭ１に対応して決定される。応力緩和部７を用いる場合における基本的な設計は、上記と同様である。また、上記第３実施形態の変形例にように、第１電極５１の成膜条件を変更する場合には、想定される第１モーメントＭ１の分布に基づいて、第１電極５１の膜応力の分布を考慮した成膜条件に変更すればよい。
【０１１１】
いずれの場合であっても、表示部３や応力緩和部７は、基板４が曲げられることで内部に生じる第１モーメントＭ１と反対の第２モーメントＭ２もしくは第３モーメントＭ３を、基板４に生じさせる構成とされればよい。
【０１１２】
（２）上記第４実施形態およびその変形例では、上記第１実施形態の表示装置にさらに応力緩和部７を追加した例について説明した。しかしながら、上記第１実施形態の表示装置に限られず、上記した第２実施形態や第３実施形態に応力緩和部７を追加した構成とされてもよい。また、上記した第１実施形態ないし第４実施形態の表示装置については、それぞれ自由に組み合わせされてもよい。
【０１１３】
（３）上記第１実施形態では、支持部２は、表示パネル１を映像表示面１ａの反対側の面において当接する配置とされた例について説明したが、これに限られず、映像表示面１ａにおいて当接する配置とされてもよい。これは、上記した第１実施形態以外の実施形態についても同様である。
【０１１４】
（４）上記第１実施形態ないし第３実施形態では、第１電極５１、隔壁５３および封止材６のうち１つの膜厚分布を調整することで第２モーメントＭ２を生じさせる例について説明した。しかしながら、自発光素子５を発光させた際の輝度や色度に影響を及ぼさない部位であればよく、上記した例に限られない。例えば、自発光素子５がボトムエミッション型とされた場合における第２電極５４などの他の構成要素が、その膜厚分布を調整された構成の表示装置とされてもよい。
【符号の説明】
【０１１５】
１    表示パネル
２    支持部
３    表示部
４    基板
５    自発光素子
５１  第１電極
５３  隔壁
６    封止材
７    応力緩和部
【図１】
2020095868.tif 000003
【図２】
2020095868.tif 000004
【図３】
2020095868.tif 000005
【図４】
2020095868.tif 000006
【図５】
2020095868.tif 000007
【図６】
2020095868.tif 000008
【図７】
2020095868.tif 000009
【図８】
2020095868.tif 000010
【図９】
2020095868.tif 000011
【図１０】
2020095868.tif 000012
【図１１】
2020095868.tif 000013
【図１２】
2020095868.tif 000014
【図１３】
2020095868.tif 000015